(57)【要約】本内燃機関の排気浄化装置は、還元剤を保持する還元剤保持機能を有し、還元剤によりＮＯＸを還元浄化するＮＯＸ触媒装置において、還元剤保持機能が予め設定された目標量の還元剤を保持するまでＮＯＸ触媒装置へ流入する排気ガス中のＮＯＸ量に対して１より大きい当量比の還元剤をＮＯＸ触媒装置へ供給する第一制御が実施された時（ステップ１０２）から次に第一制御が実施される時までの間は、還元剤保持機能により保持されている還元剤の量に係わらずに、ＮＯＸ触媒装置へ流入する排気ガス中のＮＯＸ量に対して予め設定された当量比の還元剤をＮＯＸ触媒装置へ供給する第二制御を実施する（ステップ１０６）。
2010128563.tif 000002
【特許請求の範囲】
【請求項１】
還元剤を保持する還元剤保持機能を有し、還元剤によりＮＯＸを還元浄化するＮＯＸ触媒装置において、前記還元剤保持機能が予め設定された目標量の還元剤を保持するまで前記ＮＯＸ触媒装置へ流入する排気ガス中のＮＯＸ量に対して１より大きい当量比の還元剤を前記ＮＯＸ触媒装置へ供給する第一制御が実施された時から次に前記第一制御が実施される時までの間は、前記還元剤保持機能により保持されている還元剤の量に係わらずに、前記ＮＯＸ触媒装置へ流入する排気ガス中のＮＯＸ量に対して予め設定された当量比の還元剤を前記ＮＯＸ触媒装置へ供給する第二制御を実施することを特徴とする内燃機関の排気浄化装置。
【請求項２】
前記第二制御における前記当量比は、機関運転状態毎に設定されていることを特徴とする請求項１に記載の内燃機関の排気浄化装置。
【請求項３】
前記第一制御における前記目標量は、前記ＮＯＸ触媒装置の温度毎に設定されていることを特徴とする請求項１又は２に記載の内燃機関の排気浄化装置。
【請求項４】
前記第一制御は、前記ＮＯＸ触媒装置の現在温度の前記目標量と前記還元剤保持機能により保持された現在の還元剤保持量との差が設定量より多くなった時に実施されることを特徴とする請求項３に記載の内燃機関の排気浄化装置。
【請求項５】
前記第一制御は、機関始動毎に実施されることを特徴とする請求項１から４のいずれか一項に記載の内燃機関の排気浄化装置。
【発明の詳細な説明】
【技術分野】
【０００１】
本発明は、内燃機関の排気浄化装置に関する。
【背景技術】
【０００２】
ディーゼルエンジンのような希薄燃焼を実施する内燃機関の排気系には、排気ガス中のＮＯＸを浄化するためのＮＯＸ触媒装置が配置されている。このようなＮＯＸ触媒装置として、排気ガスと共に供給される尿素を加水分解してアンモニアを発生させ、このアンモニアＮＨ３を還元剤として使用して排気ガス中のＮＯＸを選択的に還元浄化する選択還元型のＮＯＸ触媒装置が公知である。
このような選択還元型のＮＯＸ触媒装置へ流入する単位時間当たりのＮＯＸ量を全て還元するために過不足のない単位時間当たりの尿素量を当量比１の尿素量と称すると、当量比１の尿素をＮＯＸ触媒装置へ供給することが望ましい。しかしながら、機関運転状態の変化に伴ってＮＯＸ触媒装置へ流入する単位時間当たりのＮＯＸ量が変化すると、これに正確に追従させて当量比１の尿素をＮＯＸ触媒装置へ供給することは困難である。
それにより、選択還元型のＮＯＸ触媒装置において、尿素保持機能を設けて、ある程度の量の尿素を保持させておくことにより、機関運転状態の変化によりＮＯＸ触媒装置へ流入する単位時間当たりのＮＯＸ量が増加した時に、１より小さい当量比の尿素しか供給されなくても、保持した尿素からアンモニアを発生させて不足分を補って排気ガス中のＮＯＸを良好に浄化させ、また、機関運転状態の変化によりＮＯＸ触媒装置へ流入する単位時間当たりのＮＯＸ量が減少した時に、１より大きい当量比の尿素が供給されても、余剰分の尿素を保持してアンモニアの流出を抑制することを意図する内燃機関の排気浄化装置が公知である。
このような内燃機関の排気浄化装置において、ＮＯＸ触媒装置の尿素保持機能により保持可能な尿素量は、ＮＯＸ触媒装置の温度により変化するために、ＮＯＸ触媒装置の温度毎に目標尿素保持量を設定して、ＮＯＸ触媒装置において目標尿素保持量より多い尿素が保持されていると推定される時には、尿素の供給を停止し、ＮＯＸ触媒装置において目標尿素保持量より少ない尿素しか保持されていないと推定される時には、１より大きな当量比の尿素を供給し、ＮＯＸ触媒装置の尿素保持機能により保持される尿素量が、ＮＯＸ触媒装置の温度毎に設定された目標尿素保持量に維持されるようにすることが提案されている（特許文献１参照）。
【先行技術文献】
【特許文献】
【０００３】
【特許文献１】特開２００３−２９３７３７
【特許文献２】特開２００５−２０１２１８
【発明の概要】
【発明が解決しようとする課題】
【０００４】
前述の内燃機関の排気浄化装置においては、高いＮＯＸ浄化率が必要とされる時にも、ＮＯＸ触媒装置に保持された尿素量が目標尿素保持量より多いと推定されれば、尿素の供給が停止される。その結果、保持した尿素から発生するアンモニアだけによってＮＯＸが還元されることとなり、高いＮＯＸ浄化率が実現されないことがある。
従って、本発明の目的は、還元剤を保持する還元剤保持機能を有し、還元剤によりＮＯＸを還元浄化するＮＯＸ触媒装置において、高いＮＯＸ浄化率が必要とされる時には高いＮＯＸ浄化率が実現されるようにすることである。
【課題を解決するための手段】
【０００５】
本発明による請求項１に記載の内燃機関の排気浄化装置は、還元剤を保持する還元剤保持機能を有し、還元剤によりＮＯＸを還元浄化するＮＯＸ触媒装置において、前記還元剤保持機能が予め設定された目標量の還元剤を保持するまで前記ＮＯＸ触媒装置へ流入する排気ガス中のＮＯＸ量に対して１より大きい当量比の還元剤を前記ＮＯＸ触媒装置へ供給する第一制御が実施された時から次に前記第一制御が実施される時までの間は、前記還元剤保持機能により保持されている還元剤の量に係わらずに、前記ＮＯＸ触媒装置へ流入する排気ガス中のＮＯＸ量に対して予め設定された当量比の還元剤を前記ＮＯＸ触媒装置へ供給する第二制御を実施することを特徴とする。
本発明による請求項２に記載の内燃機関の排気浄化装置は、請求項１に記載の内燃機関の排気浄化装置において、前記第二制御における前記当量比は、機関運転状態毎に設定されていることを特徴とする。
本発明による請求項３に記載の内燃機関の排気浄化装置は、請求項１又は２に記載の内燃機関の排気浄化装置において、前記第一制御における前記目標量は、前記ＮＯＸ触媒装置の温度毎に設定されていることを特徴とする。
本発明による請求項４に記載の内燃機関の排気浄化装置は、請求項３に記載の内燃機関の排気浄化装置において、前記第一制御は、前記ＮＯＸ触媒装置の現在温度の前記目標量と前記還元剤保持機能により保持された現在の還元剤保持量との差が設定量より多くなった時に実施されることを特徴とする。
本発明による請求項５に記載の内燃機関の排気浄化装置は、請求項１から４のいずれか一項に記載の内燃機関の排気浄化装置において、前記第一制御は、機関始動毎に実施されることを特徴とする。
【発明の効果】
【０００６】
本発明による請求項１に記載の内燃機関の排気浄化装置によれば、還元剤保持機能が予め設定された目標量の還元剤を保持するまでＮＯＸ触媒装置へ流入する排気ガス中のＮＯＸ量に対して１より大きい当量比の還元剤をＮＯＸ触媒装置へ供給する第一制御が実施された時から次に第一制御が実施される時までの間は、還元剤保持機能により保持されている還元剤の量に係わらずに、ＮＯＸ触媒装置へ流入する排気ガス中のＮＯＸ量に対して予め設定された当量比の還元剤をＮＯＸ触媒装置へ供給する第二制御を実施するようになっており、第二制御中においては、高いＮＯＸ浄化率が必要とされるにも係わらずに、還元剤保持機能が目標量より多い還元剤を保持しているために、還元剤の供給が停止されてＮＯＸ浄化率が低下するようなことはなく、ＮＯＸ触媒装置において還元剤保持機能により保持された還元剤の一部が放出されると共に第二制御によって予め設定された当量比の還元剤がＮＯＸ触媒装置へ供給されるために、これらの還元剤により高いＮＯＸ浄化率を実現することができる。
本発明による請求項２に記載の内燃機関の排気浄化装置によれば、請求項１に記載の内燃機関の排気浄化装置において、第二制御における当量比は、機関運転状態毎に設定されている。それにより、第二制御中においては、機関運転状態毎に最適な当量比での還元剤の供給を実施することができる。
本発明による請求項３に記載の内燃機関の排気浄化装置によれば、請求項１又は２に記載の内燃機関の排気浄化装置において、第一制御における目標量は、ＮＯＸ触媒装置の温度毎に設定されている。それにより、第一制御により、還元剤保持機能はＮＯＸ触媒装置の現在温度に対して設定された目標量の還元剤を保持することができる。
本発明による請求項４に記載の内燃機関の排気浄化装置によれば、請求項３に記載の内燃機関の排気浄化装置において、第一制御は、ＮＯＸ触媒装置の現在温度の目標量と還元剤保持機能により保持された現在の還元剤保持量との差が設定量より多くなった時に実施される。それにより、ＮＯＸ触媒装置の現在温度の目標量と還元剤保持機能により保持された還元剤保持量との差が設定量より多くなったままとされて、第二制御中において、ＮＯＸ触媒装置において還元剤保持機能により保持された還元剤の放出が不十分となってＮＯＸ浄化率が低下することを抑制することができる。
本発明による請求項５に記載の内燃機関の排気浄化装置によれば、請求項１から４のいずれか一項に記載の内燃機関の排気浄化装置において、第一制御は、機関始動毎に実施されるようになっている。それにより、機関始動毎に第一制御により還元剤保持機能が目標量の還元剤を保持するようにされ、第二制御中において、ＮＯＸ触媒装置において還元剤保持機能により保持された還元剤の放出が不十分となってＮＯＸ浄化率が低下することを抑制することができる。
【図面の簡単な説明】
【０００７】
【図１】本発明による内燃機関の排気浄化装置の実施形態を示す概略図である。
【図２】ＮＯＸ触媒装置の温度と尿素保持機能により保持する目標尿素保持量との関係を示すグラフである。
【図３】本発明による排気浄化装置において実施される尿素供給制御を示すフローチャートである。
【図４】図３の尿素供給制御により変化するＮＯＸ触媒装置に保持された尿素保持量を示すタイムチャートである。
【図５】ＮＯＸ触媒装置の温度と排気ガス量とに基づき分割された領域を示すマップである。
【図６】機関回転数と機関負荷とに基づき分割された領域を示すマップである。
【発明を実施するための形態】
【０００８】
図１は本発明による内燃機関の排気浄化装置を示す概略図である。同図において、１はディーゼルエンジン又は希薄燃焼を実施する筒内噴射式火花点火内燃機関の排気通路である。このような希薄燃焼を実施する内燃機関の排気ガス中には、比較的多くのＮＯＸが含まれるために、排気通路１には、ＮＯＸを浄化するためのＮＯＸ触媒装置２が配置されている。ＮＯＸ触媒装置２は、例えば、チタニアを担体として酸化バナジウムを担持させたり、ゼオライトを担体として銅を担持させたりして構成される選択還元型のＮＯＸ触媒装置である。
このような選択還元型のＮＯＸ触媒装置２において、過剰酸素を含む排気ガス中に還元剤として例えば尿素水溶液を供給すると、排気ガス中に含まれるＮＯＸは、酸化バナジウム又は銅等の触媒上において尿素ＣＯ（ＮＨ２）２から発生する還元剤であるアンモニアＮＨ３により還元される（例えば、２ＮＨ３＋２ＮＯ＋１／２Ｏ２→２Ｎ２＋３Ｈ２Ｏ）。
この場合において、選択還元型のＮＯＸ触媒装置２へ流入する単位時間当たりのＮＯＸ量を全て還元するために過不足のない単位時間当たりの尿素量が当量比１の尿素量となる。
図１において、３は尿素水溶液をＮＯＸ触媒装置２へ供給するための尿素供給装置である。４はＮＯＸ触媒装置２へ流入する排気ガス中のＮＯＸ濃度を検出する上流側ＮＯＸセンサであり、５はＮＯＸ触媒装置２から流出する排気ガス中のＮＯＸ濃度を検出する下流側ＮＯＸセンサである。例えば、下流側ＮＯＸセンサ５により検出されるＮＯＸ濃度と上流側ＮＯＸセンサ４により検出されるＮＯＸ濃度との比をＮＯＸ還元率とすることができる。６はＮＯＸ触媒装置２から流出するアンモニアをＮ２又はＮＯＸ等へ酸化させるための例えば貴金属触媒を担持する酸化触媒装置である。
ところで、チタニア又はゼオライト等のＮＯＸ触媒装置２の担体は、余剰の尿素を保持することができる。このように、ＮＯＸ触媒装置２に尿素保持機能（還元剤保持機能）を持たせて余剰尿素を保持させれば、保持された尿素からもＮＨ３が発生し、供給された尿素から発生するＮＨ３と共にＮＯＸ触媒装置２内にＮＨ３を全体的に分布させることができるために、排気ガス中のＮＯＸを良好に還元することができ、供給された尿素から発生するＮＨ３だけによりＮＯＸを還元する場合に比較して、ＮＯＸの還元率を高めることができる。
図２の点線は、ＮＯＸ触媒装置２の温度Ｔと尿素保持可能量との関係を示しており、ＮＯＸ触媒装置２の温度Ｔが低いほど多量の尿素を保持することができる。一方、図２の実線は、このようにＮＯＸ触媒装置２の温度Ｔにより変化する尿素保持可能量（点線）を超えないように尿素保持可能量に対して余裕を持って設定されたＮＯＸ触媒装置２の温度Ｔ毎の目標尿素保持量Ａｔを示すグラフである。
このように、ＮＯＸ触媒装置２に目標尿素保持量Ａｔの尿素が保持されていれば、保持された尿素から発生するＮＨ３と供給された尿素から発生するＮＨ３とによってＮＯＸを良好に還元することができる。また、１より大きな当量比の尿素がＮＯＸ触媒装置２に供給されても、余剰尿素を保持し、直ぐにＮＨ３がＮＯＸ触媒装置２から流出することはない。
しかしながら、常に、ＮＯＸ触媒装置２に目標尿素保持量Ａｔの尿素が保持されるように、ＮＯＸ触媒装置２へ供給する尿素量を制御すると、ＮＯＸ触媒装置２の現在の尿素保持量が現在の目標尿素保持量Ａｔを超えたと推定される時には、尿素の供給が停止され、保持された尿素から発生するＮＨ３だけによって排気ガス中のＮＯＸが還元されることとなり、ＮＨ３がＮＯＸ触媒装置２内全体に分布しないために、ＮＯＸの浄化率が低下してしまう。
また、ＮＯＸ触媒装置２に目標尿素保持量Ａｔの尿素が保持されるように、ＮＯＸ触媒装置２へ供給する尿素量を制御しても、供給された尿素がＮＯＸ触媒装置２内に全体的に分布して保持されるとは限らず、目標尿素保持量Ａｔの尿素量がＮＯＸ触媒装置２の一部に集中すれば、アンモニアの流出が発生してしまう。
本発明による内燃機関の排気浄化装置は、図３に示すフローチャートに従って尿素供給制御が実施される。先ず、ステップ１０１において、現在のＮＯＸ触媒装置２の温度Ｔに対する目標尿素保持量Ａｔと、現在のＮＯＸ触媒装置２の尿素保持量Ａとの差が、設定量ΔＡより多いか否かが判断される。
現在の尿素保持量Ａは、現在の排気ガス中のＮＯＸ濃度、今回供給される尿素の当量比、現在の単位時間当たりの排気ガス量、及び、現在のＮＯＸ触媒装置２の温度Ｔ等に基づき、今回供給された尿素量のうちで新たに保持される尿素量及び前回の尿素保持量からアンモニアとして放出される尿素量を推定し、推定された新たに保持される尿素量を前回の尿素保持量に加算し、推定されたアンモニアとして放出される尿素量を前回の尿素保持量から減算して推定される。ＮＯＸ触媒装置２の温度Ｔが高くなるほど、アンモニアとして放出される尿素量は多くなる。
ステップ１０１の判断が肯定される時、すなわち、現在の尿素保持量Ａが現在のＮＯＸ触媒装置２の温度Ｔに対する目標尿素保持量Ａｔをかなり下回る時には、ステップ１０２において第一制御が実施される。第一制御においては、１より大きな当量比、例えば当量比２の尿素水溶液が尿素供給装置３によってＮＯＸ触媒装置２へ供給される。次いで、ステップ１０３において、今回の第一制御により尿素が供給された後の尿素保持量Ａが推定され、ステップ１０４において、推定された尿素保持量Ａが現在のＮＯＸ触媒装置２の温度Ｔに対する目標尿素保持量Ａｔに達したか否かが判断され、この判断が否定される時には、ステップ１０２及び１０３の処理が繰り返され、第一制御によってＮＯＸ触媒装置２へ尿素が供給される。
尿素保持量Ａが現在のＮＯＸ触媒装置２の温度Ｔに対する目標尿素保持量Ａｔに達した時には、ステップ１０４の判断が肯定されてステップ１０１へ戻る。この時においては、尿素保持量Ａが現在のＮＯＸ触媒装置２の温度Ｔに対する目標尿素保持量Ａｔに達しているために、ステップ１０１の判断は否定され、ステップ１０５において、第二制御が実施される。第二制御においては、現在の機関運転状態に適した当量比の尿素水溶液が尿素供給装置３によってＮＯＸ触媒装置２へ供給される。
例えば、排気ガス中のＮＯＸ濃度が高いために、高いＮＯＸ浄化率が望まれる時には、１より大きな当量比の尿素を供給し、また、車両停止中のようにアンモニア放出を抑制することが望まれる時には、１より小さな当量比の尿素を供給する。また、通常時は、当量比１の尿素を供給する。また、第二制御においては、常に、１以上の当量比の尿素を供給するようにしても良い。
次いで、ステップ１０６において、今回の第二制御により尿素が供給された後の尿素保持量Ａが推定され、ステップ１０１へ戻る。ステップ１０１の判断が肯定されるまで、ステップ１０５及び１０６の処理が繰り返され、第二制御によってＮＯＸ触媒装置２へ尿素が供給される。
図４の実線は、図３のフローチャートの尿素供給制御により変化する尿素保持量Ａを示すタイムチャートである。図４の点線は、ＮＯＸ触媒装置２の温度Ｔにより変化する目標尿素保持量Ａｔを示している。時刻ｔ０は機関始動時であり、機関始動時は機関停止時に比較してＮＯＸ触媒装置２の温度Ｔが低下し、目標尿素保持量Ａｔが多くなるために、多くの場合において、現在のＮＯＸ触媒装置２の温度Ｔに対する目標尿素保持量Ａｔと、現在のＮＯＸ触媒装置２の尿素保持量Ａとの差が、設定量ΔＡより多くなる。それにより、第一制御が実施され、１より大きな当量比、例えば当量比２の尿素水溶液が尿素供給装置３によってＮＯＸ触媒装置２へ供給され、時刻ｔ１において尿素保持量Ａは時刻ｔ１の時の目標尿素保持量Ａｔに達する。
それにより、時刻ｔ１からは、第二制御が実施され、各時刻の機関運転状態に適した当量比の尿素水溶液が尿素供給装置３によってＮＯＸ触媒装置２へ供給される。例えば、時刻ｔ１の直後は、１より大きな当量比（例えば１．３）の尿素が供給され、ＮＯＸ触媒装置２に保持された尿素から発生するＮＨ３と供給された尿素から発生するＮＨ３とによって排気ガス中のＮＯＸは良好に還元され、高いＮＯＸ浄化が実現される。
例えば、時刻ｔ２の直前では、ＮＨ３の流出を抑制するために、１より小さな当量比（例えば０．７）の尿素が供給され、ＮＯＸ触媒装置２の尿素保持量Ａは減少し、時刻ｔ２において、現在のＮＯＸ触媒装置２の温度Ｔに対する目標尿素保持量Ａｔと、現在のＮＯＸ触媒装置２の尿素保持量Ａとの差が、設定量ΔＡより多くなる。
それにより、時刻ｔ２からは、第一制御が実施され、１より大きな当量比、例えば当量比２の尿素水溶液が尿素供給装置３によってＮＯＸ触媒装置２へ供給され、時刻ｔ３において尿素保持量Ａは時刻ｔ３の時の目標尿素保持量Ａｔに達する。それにより、時刻ｔ３からは、再び第二制御が実施される。
このような尿素供給制御によれば、第二制御中においては、高いＮＯＸ浄化率が必要とされるにも係わらずに、目標尿素保持量Ａｔより多い尿素を保持しているために、尿素の供給が停止されてＮＯＸ浄化率が低下するようなことはなく、ＮＯＸ触媒装置２において保持された尿素からＮＨ３が発生すると共に第二制御によって予め設定された当量比の尿素がＮＯＸ触媒装置２へ供給されてＮＨ３を発生させるために、これらのＮＯＸ触媒装置２内に全体的に分布する十分な量のＮＨ３により高いＮＯＸ浄化率を実現することができる。
第二制御における当量比は、例えば、ＮＯＸ触媒装置２の温度Ｔと単位時間当たりの排気ガス量Ｇとに基づき分割された図５に示す機関運転領域Ａ、Ｂ、Ｃにおいて、運転領域Ａでは、ＮＯＸ触媒装置２の温度Ｔが低く、ＮＯＸ触媒装置２のＮＯＸ還元性能が低下しているために、１より大きな当量比の尿素を供給するようにして、ＮＯＸの還元率を高めることが好ましい。この領域においては、排気ガス量Ｇが少なく、ＮＯＸ触媒装置２からＮＨ３が流出しても下流側の酸化触媒装置６により十分にＮＨ３を酸化させ、ＮＨ３の大気放出量を十分に低減することができる。
また、運転領域Ｂでは、ＮＯＸ触媒装置２の温度Ｔは運転領域Ａより高く、ＮＯＸ触媒装置２のＮＯＸ還元性能は、それほど低下していないために、当量比１の尿素を供給するようにしている。
また、運転領域Ｃでは、ＮＯＸ触媒装置２の温度Ｔは高く、ＮＯＸ触媒装置２のＮＯＸ還元性能は高いために、１より小さな当量比の尿素を供給するようにしている。また、この領域においては、排気ガス量Ｇが多く、ＮＯＸ触媒装置２からＮＨ３が流出すると、下流側の酸化触媒装置６により十分にＮＨ３を酸化させることができないために、１より小さな当量比の尿素を供給するようにしてＮＯＸ触媒装置２から殆どＮＨ３が流出しないようにしている。
また、第二制御における当量比は、例えば、機関回転数ＮＥと機関負荷Ｌとに基づき分割された図６に示す機関運転領域Ｄ、Ｅ、Ｆにおいて、運転領域Ｄでは、排気ガス量が少なく、ＮＯＸ触媒装置２からＮＨ３が流出しても下流側の酸化触媒装置６により十分にＮＨ３を酸化させることができるために、１より大きな当量比の尿素を供給するようにして、ＮＯＸの還元率を高くしている。
また、運転領域Ｅでは、排気ガス量は運転領域Ｄより多く、ＮＯＸ触媒装置２から余りＮＨ３が流出しないようにすることが好ましく、当量比１の尿素を供給するようにしている。
また、運転領域Ｆでは、排気ガス量が多く、ＮＯＸ触媒装置２からＮＨ３が流出すると、下流側の酸化触媒装置６により十分にＮＨ３を酸化させることができないために、１より小さな当量比の尿素を供給するようにしてＮＯＸ触媒装置２から殆どＮＨ３が流出しないようにしている。
このように、第二制御中においては、現在の目標尿素保持量に対する現在の尿素保持量に関係なく、機関運転状態毎に最適な当量比の尿素がＮＯＸ触媒装置２へ供給されるようにしている。その結果として、ＮＯＸ触媒装置２からＮＨ３が流入することがあり、ＮＯＸ触媒装置２の下流側には、ＮＨ３を酸化するための酸化触媒装置６を配置することが好ましい。
本尿素供給制御において、第一制御は、ＮＯＸ触媒装置２の現在温度の目標尿素保持量Ａｔと現在の尿素保持量Ａとの差が設定量ΔＡより多くなった時に実施される。それにより、ＮＯＸ触媒装置２の現在温度の目標尿素保持量と現在の尿素保持量との差が設定量より多くなったままとされて、第二制御中において、ＮＯＸ触媒装置２において保持尿素からのＮＨ３の放出が不十分となってＮＯＸ浄化率が低下することを抑制することができる。
例えば、排気通路１にパティキュレートフィルタが配置されている場合において、パティキュレートフィルタに捕集されたパティキュレートを焼失させるために排気ガスの温度が高められることがあり、この時には、ＮＯＸ触媒装置２の温度Ｔも上昇して尿素保持量Ａが減少するために、その直後において、現在温度の目標尿素保持量Ａｔと現在の尿素保持量Ａとの差が設定量ΔＡより多くなり易い。
本尿素供給制御において、機関始動時の尿素保持量に関係なく、第一制御を機関始動毎に実施するようにしても良い。それにより、機関始動毎に第一制御により目標尿素保持量の尿素を保持するようにされ、第二制御中において、ＮＯＸ触媒装置２において保持尿素からのＮＨ３の放出が不十分となってＮＯＸ浄化率が低下することを抑制することができる。
これまでの説明において、ＮＯＸ触媒装置２へ供給される還元剤は、尿素水溶液としたが、燃料、すなわち、炭化水素ＨＣとしても良く、燃料の場合にも当量比に基づき同様に供給すれば良い。
【符号の説明】
【０００９】
１    排気通路
２    ＮＯＸ触媒装置
３    尿素供給装置
６    酸化触媒装置
【図１】
2010128563.tif 000003
【図２】
2010128563.tif 000004
【図３】
2010128563.tif 000005
【図４】
2010128563.tif 000006
【図５】
2010128563.tif 000007
【図６】
2010128563.tif 000008
【国際調査報告】
2010128563.tif 000009
2010128563.tif 000010